(57)【要約】  基地局装置と移動局装置が、複数のコンポーネントキャリアを集約して通信を行う移動通信システムであって、前記基地局装置は、下りリンクトランスポートブロックを物理下りリンク共用チャネルを使用して前記移動局装置に送信し、同一サブフレームで割り当てた物理下りリンク共用チャネルの数を示す情報を含む上りリンク送信許可信号を前記移動局装置に送信し、前記移動局装置は、前記物理下りリンク共用チャネルの数を示す情報に応じて、前記下りリンクトランスポートブロックに対するＨＡＲＱのＡＣＫ／ＮＡＣＫを示す情報を前記基地局装置に送信する。
2010073477.tif 000002
【特許請求の範囲】
【請求項１】
基地局装置と移動局装置が、複数のコンポーネントキャリアを集約して通信を行う移動通信システムであって、
前記基地局装置は、
下りリンクトランスポートブロックを物理下りリンク共用チャネルを使用して前記移動局装置に送信し、
同一サブフレームで割り当てた物理下りリンク共用チャネルの数を示す情報を含む上りリンク送信許可信号を前記移動局装置に送信し、
前記移動局装置は、
前記物理下りリンク共用チャネルの数を示す情報に応じて、前記下りリンクトランスポートブロックに対するＨＡＲＱ（ハイブリッド自動再送要求）のＡＣＫ（肯定応答）／ＮＡＣＫ（否定応答）を示す情報を前記基地局装置に送信する
ことを特徴とする移動通信システム。
【請求項２】
基地局装置と移動局装置が、複数のコンポーネントキャリアを集約して通信を行う移動通信システムであって、
前記基地局装置は、
下りリンクトランスポートブロックを物理下りリンク共用チャネルを使用して前記移動局装置に送信し、
１つの上りリンクコンポーネントキャリアに対応する複数の下りリンクコンポーネントキャリア内において同一サブフレームで割り当てた物理下りリンク共用チャネルの数を示す情報を含む上りリンク送信許可信号を前記移動局装置に送信し、
前記移動局装置は、
前記物理下りリンク共用チャネルの数を示す情報に応じて、前記下りリンクトランスポートブロックに対するＨＡＲＱのＡＣＫ／ＮＡＣＫを示す情報を前記基地局装置に送信する
ことを特徴とする移動通信システム。
【請求項３】
前記移動局装置は、
前記下りリンクトランスポートブロックに対するＨＡＲＱのＡＣＫ／ＮＡＣＫを示す情報を、前記上りリンク送信許可信号によって割り当てられた物理上りリンク共用チャネルのリソースを使用して前記基地局装置に送信する
ことを特徴とする請求項１または２に記載の移動通信システム。
【請求項４】
基地局装置と移動局装置が、複数のコンポーネントキャリアを集約して通信を行う移動通信システムにおける基地局装置であって、
下りリンクトランスポートブロックを物理下りリンク共用チャネルを使用して前記移動局装置に送信する手段と、
同一サブフレームで割り当てた物理下りリンク共用チャネルの数を示す情報を含む上りリンク送信許可信号を前記移動局装置に送信する手段と、
を備えることを特徴とする基地局装置。
【請求項５】
基地局装置と移動局装置が、複数のコンポーネントキャリアを集約して通信を行う移動通信システムにおける基地局装置であって、
下りリンクトランスポートブロックを物理下りリンク共用チャネルを使用して前記移動局装置に送信する手段と、
１つの上りリンクコンポーネントキャリアに対応する複数の下りリンクコンポーネントキャリア内において同一サブフレームで割り当てた物理下りリンク共用チャネルの数を示す情報を含む上りリンク送信許可信号を前記移動局装置に送信する手段と、
を備えることを特徴とする基地局装置。
【請求項６】
基地局装置と移動局装置が、複数のコンポーネントキャリアを集約して通信を行う移動通信システムにおける移動局装置であって、
下りリンクトランスポートブロックを物理下りリンク共用チャネルを使用して前記基地局装置から受信する手段と、
前記基地局装置が、同一サブフレームで割り当てた物理下りリンク共用チャネルの数を示す情報を含む上りリンク送信許可信号を前記基地局装置から受信する手段と、
前記物理下りリンク共用チャネルの数を示す情報に応じて、前記下りリンクトランスポートブロックに対するＨＡＲＱのＡＣＫ／ＮＡＣＫを示す情報を前記基地局装置に送信する手段と、
を備えることを特徴とする移動局装置。
【請求項７】
基地局装置と移動局装置が、複数のコンポーネントキャリアを集約して通信を行う移動通信システムにおける移動局装置であって、
下りリンクトランスポートブロックを物理下りリンク共用チャネルを使用して前記基地局装置から受信する手段と、
前記基地局装置が、１つの上りリンクコンポーネントキャリアに対応する複数の下りリンクコンポーネントキャリア内において同一サブフレームで割り当てた物理下りリンク共用チャネルの数を示す情報を含む上りリンク送信許可信号を前記基地局装置から受信する手段と、
前記物理下りリンク共用チャネルの数を示す情報に応じて、前記下りリンクトランスポートブロックに対するＨＡＲＱのＡＣＫ／ＮＡＣＫを示す情報を前記基地局装置に送信する手段と、
を備えることを特徴とする移動局装置。
【請求項８】
前記下りリンクトランスポートブロックに対するＨＡＲＱのＡＣＫ／ＮＡＣＫを示す情報を前記基地局装置に送信する手段は、
前記下りリンクトランスポートブロックに対するＨＡＲＱのＡＣＫ／ＮＡＣＫを示す情報を、前記上りリンク送信許可信号によって割り当てられた物理上りリンク共用チャネルのリソースを使用して前記基地局装置に送信する
ことを特徴とする請求項６または７に記載の移動局装置。
【請求項９】
基地局装置と移動局装置が、複数のコンポーネントキャリアを集約して通信を行う移動通信システムにおける移動局装置の通信方法であって、
下りリンクトランスポートブロックを物理下りリンク共用チャネルを使用して前記基地局装置から受信し、
前記基地局装置が、同一サブフレームで割り当てた物理下りリンク共用チャネルの数を示す情報を含む上りリンク送信許可信号を前記基地局装置から受信し、
前記物理下りリンク共用チャネルの数を示す情報に応じて、前記下りリンクトランスポートブロックに対するＨＡＲＱのＡＣＫ／ＮＡＣＫを示す情報を前記基地局装置に送信する
ことを特徴とする通信方法。
【請求項１０】
基地局装置と移動局装置が、複数のコンポーネントキャリアを集約して通信を行う移動通信システムにおける移動局装置の通信方法であって、
下りリンクトランスポートブロックを物理下りリンク共用チャネルを使用して前記基地局装置から受信し、
前記基地局装置が、１つの上りリンクコンポーネントキャリアに対応する複数の下りリンクコンポーネントキャリア内において同一サブフレームで割り当てた物理下りリンク共用チャネルの数を示す情報を含む上りリンク送信許可信号を前記基地局装置から受信し、
前記物理下りリンク共用チャネルの数を示す情報に応じて、前記下りリンクトランスポートブロックに対するＨＡＲＱのＡＣＫ／ＮＡＣＫを示す情報を前記基地局装置に送信する、
ことを特徴とする通信方法。
【発明の詳細な説明】
【技術分野】
【０００１】
本発明は、基地局装置および移動局装置から構成される移動通信システムおよび移動通信方法に関する。
本願は、２００８年１２月２２日に、日本に出願された特願２００８−３２５１３６号に基づき優先権を主張し、その内容をここに援用する。
【背景技術】
【０００２】
３ＧＰＰ（3rd Generation Partnership Project）は、Ｗ−ＣＤＭＡ（Wideband-Code Division Multiple Access）と、ＧＳＭ（Global System for Mobile Communications）とを発展させたネットワークを基本とした移動通信システムの仕様の検討・作成を行なうプロジェクトである。３ＧＰＰでは、Ｗ−ＣＤＭＡ方式が第３世代セルラー移動通信方式として標準化され、順次サービスが開始されている。また、通信速度をさらに高速化させたＨＳＤＰＡ（High-Speed Downlink Packet Access）も標準化され、サービスが開始されている。３ＧＰＰでは、第３世代無線アクセス技術の進化（以下、「ＬＴＥ（Long Term Evolution）」、若しくは、「ＥＵＴＲＡ（Evolved Universal Terrestrial Radio Access）」と呼称する。）、および、より広帯域な周波数帯域を利用して、さらに高速なデータの送受信を実現する移動通信システム（以下、「ＬＴＥ−Ａ（Long Term Evolution-Advanced）」、若しくは、「Ａｄｖａｎｃｅｄ−ＥＵＴＲＡ」と呼称する。）に関する検討が進められている。【０００３】
ＬＴＥにおける通信方式としては、互いに直交するサブキャリアを用いてユーザ多重化を行なうＯＦＤＭＡ（Orthogonal Frequency Division Multiple Access）方式、および、ＳＣ−ＦＤＭＡ（Single Carrier-Frequency Division Multiple Access）方式が検討されている。すなわち、下りリンクでは、マルチキャリア通信方式であるＯＦＤＭＡ方式が、上りリンクでは、シングルキャリア通信方式であるＳＣ−ＦＤＭＡ方式が提案されている。【０００４】
一方、ＬＴＥ−Ａにおける通信方式としては、下りリンクでは、ＯＦＤＭＡ方式が、上りリンクでは、シングルキャリア通信方式であるＳＣ−ＦＤＭＡ方式に加えて、マルチキャリア通信方式であるＯＦＤＭＡ方式、Ｃｌｕｓｔｅｒｅｄ−ＳＣ−ＦＤＭＡ（Clustered-Single Carrier-Frequency Division Multiple Access、DFT-S-OFDM with Spectrum Division Controlとも呼称される。）方式を導入することが提案されている（非特許文献１）。ここで、ＬＴＥおよびＬＴＥ−Ａにおいて、上りリンクの通信方式として提案されているＳＣ−ＦＤＭＡ方式は、データを送信する際のＰＡＰＲ（Peak to Average Power Ratio：ピーク電力対平均電力比）を低く抑えることができるという特徴を持っている。【０００５】
また、ＬＴＥ−Ａでは、一般的な移動通信システムで使用する周波数帯域は連続であるのに対し、連続／不連続な複数の周波数帯域（以下、「キャリア要素（ＣＣ：Carrier Component）」、または、「コンポーネントキャリア（ＣＣ：Component Carrier）」と呼称する。）を複合的に使用して、１つの周波数帯域（広帯域な周波数帯域）として運用する（周波数帯域集約：Spectrum aggregation、Carrier aggregation、Frequency aggregationなどとも呼称される。）ことが提案されている。また、基地局装置および移動局装置が、広帯域な周波数帯域をより柔軟に使用して通信を行なうために、下りリンクの通信に使用する周波数帯域と上りリンクの通信に使用する周波数帯域を、異なる周波数帯域幅とすることも提案されている（非特許文献２）。【０００６】
さらに、ＬＴＥおよびＬＴＥ−Ａでは、基地局装置からの下りリンク送信に対して、移動局装置が、上りリンクを使用してＨＡＲＱ（Hybrid Automatic Repeat Request、ハイブリッド自動再送要求）のＡＣＫ／ＮＡＣＫ（肯定応答：Positive Acknowledgement／否定応答：Negative Acknowledgement、ＡＣＫ信号またはＮＡＣＫ信号）を送信する。すなわち、基地局装置が、下りリンクのトランスポートチャネルを通してデータ（の単位）（以下、「（下りリンク）トランスポートブロック」と呼称する。）を送信し、移動局装置が、下りリンクトランスポートブロックに対するＨＡＲＱのＡＣＫ／ＮＡＣＫを、物理上りリンク制御チャネル（以下、ＰＵＣＣＨ：Physical Uplink Control Channel）および／または物理上りリンク共用チャネル（以下、ＰＵＳＣＨ：Physical Uplink Shared Channel）を使用して基地局装置へ送信する。
【先行技術文献】
【非特許文献】
【０００７】
【非特許文献１】"Consideration on Multicarrier Transmission scheme for LTE-Adv uplink", 3GPP TSG RAN WG1 Meeting ＃53-bis, R1-082398, June 30-July 4, 2008.
【非特許文献２】"Initial Access Procedure for Asymmetric Wider Bandwidth in LTE-Advanced", 3GPP TSG RAN WG1 Meeting ＃55, R1-084249, November 10-14, 2008.
【発明の概要】
【発明が解決しようとする課題】
【０００８】
しかしながら、従来の技術では、連続／不連続な複数の周波数帯域（キャリア要素）によって構成される広帯域な周波数帯域（例えば、下りリンクの通信に使用する周波数帯域幅（以下、ＤＬシステム帯域、ＤＬシステム帯域幅とも呼称する）が１００ＭＨｚ、上りリンクの通信に使用する周波数帯域幅（以下、ＵＬシステム帯域、ＵＬシステム帯域幅とも呼称する）が４０ＭＨｚ）を使用して、基地局装置と移動局装置が通信を行う際に、基地局装置が、複数の下りリンクのキャリア要素を使用して複数の下りリンクトランスポートブロックを同一サブフレームで送信する際に、移動局装置が、送信された下りリンクトランスポートブロックを検出できなかった場合（送信された下りリンクトランスポートブロックを受信できなかった場合）を考慮したＨＡＲＱのＡＣＫ／ＮＡＣＫを示す情報の送受信が行われていなかった。すなわち、移動局装置が、下りリンクトランスポートブロックを検出できなかった場合に、基地局装置と移動局装置の間でやり取りされる下りリンクトランスポートブロックに対するＨＡＲＱのＡＣＫ／ＮＡＣＫを示す情報の送受信が正しく行われないという問題があった。【０００９】
図６は、従来の技術におけるＤＬシステム帯域およびＵＬシステム帯域を示す図である。図６において、下りリンクについては、例として、８０ＭＨｚの帯域幅を持ったＤＬシステム帯域を示しており、ＤＬシステム帯域が、２０ＭＨｚの帯域幅を持った４つのキャリア要素（ＤＣＣ−０：Downlink Component Carrier-0、ＤＣＣ−１、ＤＣＣ−２、ＤＣＣ−３）によって構成されている。一方、上りリンクについては、例として、４０ＭＨｚの帯域幅を持ったＵＬシステム帯域を示しており、ＵＬシステム帯域が、２０ＭＨｚの帯域幅を持った２つのキャリア要素（ＵＣＣ−０：Uplink Component Carrier-0、ＵＣＣ−１）によって構成されている。図６に示す移動通信システムにおいて、基地局装置と移動局装置は、４つの下りリンクのキャリア要素それぞれを使用して、同一サブフレームで４つ（まで）の下りリンクトランスポートブロックを送受信することができ、広帯域な周波数帯域を利用した高速なデータの送受信を実現することが可能となる。【００１０】
図６に示すように、従来の技術では、基地局装置と移動局装置は、複数の下りリンクのキャリア要素（ＤＣＣ−０とＤＣＣ−１、ＤＣＣ−２とＤＣＣ−３）と上りリンクのキャリア要素（ＵＣＣ−０、ＵＣＣ−１）を対応させて通信を行っていた（ＤＣＣ−０、ＤＣＣ−１とＵＣＣ−０、ＤＣＣ−２、ＤＣＣ−３とＵＣＣ−１を対応させて通信を行っていた）。すなわち、基地局装置は、下りリンクのキャリア要素ＤＣＣ−０および／またはＤＣＣ−１を使用して下りリンクトランスポートブロック送信し、移動局装置は、対応する上りリンクのキャリア要素ＵＣＣ−０を使用して、送信された下りリンクトランスポートブロックに対するＨＡＲＱのＡＣＫ／ＮＡＣＫを示す情報を送信していた。また、基地局装置は、下りリンクのキャリア要素ＤＣＣ−２および／またはＤＣＣ−３を使用して下りリンクトランスポートブロック送信し、移動局装置は、対応する上りリンクのキャリア要素ＵＣＣ−１を使用して、送信された下りリンクトランスポートブロックに対するＨＡＲＱのＡＣＫ／ＮＡＣＫを示す情報を送信していた。【００１１】
しかしながら、従来の技術では、基地局装置が、例えばＤＣＣ−０およびＤＣＣ−１を使用して２つの下りリンクトランスポートブロックを同一のサブフレームで移動局装置に対して送信した場合、移動局装置から２つの下りリンクトランスポートブロックに対するＨＡＲＱのＡＣＫ／ＮＡＣＫを示す情報が送信されると思ってしまう。一方、移動局装置は、基地局装置から送信された２つの下りリンクトランスポートブロックのうち、ＤＣＣ−０を使用して送信された下りリンクトランスポートブロックを検出できなかった場合、ＤＣＣ−１を使用して送信された下りリンクトランスポートブロックに対するＨＡＲＱのＡＣＫ／ＮＡＣＫを示す情報のみ（すなわち、１つの下りリンクトランスポートブロックに対するＨＡＲＱのＡＣＫ／ＮＡＣＫを示す情報のみ）を基地局装置に送信する。【００１２】
移動局装置は、基地局装置によって割り当てられたリソースを使用してＨＡＲＱのＡＣＫ／ＮＡＣＫを示す情報以外にも、通常の上りリンクデータ（例えば、ユーザーデータ）などの情報を送信する。基地局装置が、２つの下りリンクトランスポートブロックに対するＨＡＲＱが送信されると思っている際に、移動局装置が、１つの下りリンクトランスポートブロックに対するＨＡＲＱのＡＣＫ／ＮＡＣＫを示す情報のみを送信し、割り当てられた残りのリソースを使用して上りリンクデータ（例えば、ユーザーデータ）を送信した場合、基地局装置は、移動局装置から送信された上りリンクデータ（例えば、ユーザーデータ）を、下りリンクトランスポートブロックに対するＨＡＲＱのＡＣＫ／ＮＡＣＫを示す情報と判断してしまう。例えば、ＤＣＣ−０を使用して送信した下りリンクトランスポートブロックに対するＨＡＲＱのＡＣＫ／ＮＡＣＫを示す情報だと判断してしまう。すなわち、基地局装置と移動局装置の間で複数の下りリンクトランスポートブロックを同一サブフレームで送受信する際に、移動局装置は、上りリンクデータ（例えば、ユーザーデータ）を送信しているにも関わらず、基地局装置は、下りリンクトランスポートブロックに対するＨＡＲＱのＡＣＫ／ＮＡＣＫを示す情報と判断してしまい、下りリンクトランスポートブロックに対するＨＡＲＱのＡＣＫ／ＮＡＣＫを示す情報の送受信が正しく行われないという問題が発生してしまう。【００１３】
本発明は、このような事情に鑑みてなされたものであり、基地局装置と移動局装置が、キャリア要素によって構成される広帯域な周波数帯域を使用して通信を行なう際に、複数の下りリンクのキャリア要素を使用して同一サブフレームで送信される複数の下りリンクトランスポートブロックに対するＨＡＲＱのＡＣＫ／ＮＡＣＫを示す情報を正しく送受信できる移動通信システムおよび移動通信方法を提供することを目的とする。
【課題を解決するための手段】
【００１４】
上記の目的を達成するために、本発明は、以下のような手段を講じた。すなわち、本発明の移動通信システムは、基地局装置と移動局装置が、複数のコンポーネントキャリアを集約して通信を行う移動通信システムであって、前記基地局装置は、下りリンクトランスポートブロックを物理下りリンク共用チャネルを使用して前記移動局装置に送信し、同一サブフレームで割り当てた物理下りリンク共用チャネルの数を示す情報を含む上りリンク送信許可信号を前記移動局装置に送信し、前記移動局装置は、前記物理下りリンク共用チャネルの数を示す情報に応じて、前記下りリンクトランスポートブロックに対するＨＡＲＱ（ハイブリッド自動再送要求）のＡＣＫ（肯定応答）／ＮＡＣＫ（否定応答）を示す情報を前記基地局装置に送信することを特徴としている。【００１５】
また、基地局装置と移動局装置が、複数のコンポーネントキャリアを集約して通信を行う移動通信システムであって、前記基地局装置は、下りリンクトランスポートブロックを物理下りリンク共用チャネルを使用して前記移動局装置に送信し、１つの上りリンクコンポーネントキャリアに対応する複数の下りリンクコンポーネントキャリア内において同一サブフレームで割り当てた物理下りリンク共用チャネルの数を示す情報を含む上りリンク送信許可信号を前記移動局装置に送信し、前記移動局装置は、前記物理下りリンク共用チャネルの数を示す情報に応じて、前記下りリンクトランスポートブロックに対するＨＡＲＱのＡＣＫ／ＮＡＣＫを示す情報を前記基地局装置に送信することを特徴としている。【００１６】
また、前記移動局装置は、前記下りリンクトランスポートブロックに対するＨＡＲＱのＡＣＫ／ＮＡＣＫを示す情報を、前記上りリンク送信許可信号によって割り当てられた物理上りリンク共用チャネルのリソースを使用して前記基地局装置に送信することを特徴としている。【００１７】
また、基地局装置と移動局装置が、複数のコンポーネントキャリアを集約して通信を行う移動通信システムにおける基地局装置であって、下りリンクトランスポートブロックを物理下りリンク共用チャネルを使用して前記移動局装置に送信する手段と、同一サブフレームで割り当てた物理下りリンク共用チャネルの数を示す情報を含む上りリンク送信許可信号を前記移動局装置に送信する手段と、を備えることを特徴としている。【００１８】
また、基地局装置と移動局装置が、複数のコンポーネントキャリアを集約して通信を行う移動通信システムにおける基地局装置であって、下りリンクトランスポートブロックを物理下りリンク共用チャネルを使用して前記移動局装置に送信する手段と、１つの上りリンクコンポーネントキャリアに対応する複数の下りリンクコンポーネントキャリア内において同一サブフレームで割り当てた物理下りリンク共用チャネルの数を示す情報を含む上りリンク送信許可信号を前記移動局装置に送信する手段と、を備えることを特徴としている。【００１９】
また、基地局装置と移動局装置が、複数のコンポーネントキャリアを集約して通信を行う移動通信システムにおける移動局装置であって、下りリンクトランスポートブロックを物理下りリンク共用チャネルを使用して前記基地局装置から受信する手段と、前記基地局装置が、同一サブフレームで割り当てた物理下りリンク共用チャネルの数を示す情報を含む上りリンク送信許可信号を前記基地局装置から受信する手段と、前記物理下りリンク共用チャネルの数を示す情報に応じて、前記下りリンクトランスポートブロックに対するＨＡＲＱのＡＣＫ／ＮＡＣＫを示す情報を前記基地局装置に送信する手段と、を備えることを特徴としている。【００２０】
また、基地局装置と移動局装置が、複数のコンポーネントキャリアを集約して通信を行う移動通信システムにおける移動局装置であって、下りリンクトランスポートブロックを物理下りリンク共用チャネルを使用して前記基地局装置から受信する手段と、前記基地局装置が、１つの上りリンクコンポーネントキャリアに対応する複数の下りリンクコンポーネントキャリア内において同一サブフレームで割り当てた物理下りリンク共用チャネルの数を示す情報を含む上りリンク送信許可信号を前記基地局装置から受信する手段と、前記物理下りリンク共用チャネルの数を示す情報に応じて、前記下りリンクトランスポートブロックに対するＨＡＲＱのＡＣＫ／ＮＡＣＫを示す情報を前記基地局装置に送信する手段と、を備えることを特徴としている。【００２１】
また、前記下りリンクトランスポートブロックに対するＨＡＲＱのＡＣＫ／ＮＡＣＫを示す情報を前記基地局装置に送信する手段は、前記下りリンクトランスポートブロックに対するＨＡＲＱのＡＣＫ／ＮＡＣＫを示す情報を、前記上りリンク送信許可信号によって割り当てられた物理上りリンク共用チャネルのリソースを使用して前記基地局装置に送信することを特徴としている。【００２２】
また、基地局装置と移動局装置が、複数のコンポーネントキャリアを集約して通信を行う移動通信システムにおける移動局装置の通信方法であって、下りリンクトランスポートブロックを物理下りリンク共用チャネルを使用して前記基地局装置から受信し、前記基地局装置が、同一サブフレームで割り当てた物理下りリンク共用チャネルの数を示す情報を含む上りリンク送信許可信号を前記基地局装置から受信し、前記物理下りリンク共用チャネルの数を示す情報に応じて、前記下りリンクトランスポートブロックに対するＨＡＲＱのＡＣＫ／ＮＡＣＫを示す情報を前記基地局装置に送信することを特徴としている。【００２３】
また、基地局装置と移動局装置が、複数のコンポーネントキャリアを集約して通信を行う移動通信システムにおける移動局装置の通信方法であって、下りリンクトランスポートブロックを物理下りリンク共用チャネルを使用して前記基地局装置から受信し、前記基地局装置が、１つの上りリンクコンポーネントキャリアに対応する複数の下りリンクコンポーネントキャリア内において同一サブフレームで割り当てた物理下りリンク共用チャネルの数を示す情報を含む上りリンク送信許可信号を前記基地局装置から受信し、前記物理下りリンク共用チャネルの数を示す情報に応じて、前記下りリンクトランスポートブロックに対するＨＡＲＱのＡＣＫ／ＮＡＣＫを示す情報を前記基地局装置に送信する、ことを特徴としている。
【発明の効果】
【００２４】
本発明によれば、基地局装置と移動局装置が、キャリア要素によって構成される広帯域なシステム帯域を使用して通信を行なう際に、複数の下りリンクのキャリア要素を使用して同一サブフレームで送信される複数の下りリンクトランスポートブロックに対するＨＡＲＱのＡＣＫ／ＮＡＣＫを示す情報を正しく送受信できる移動通信システムおよび移動通信方法を提供することができる。
【図面の簡単な説明】
【００２５】
【図１】物理チャネルの構成を概念的に示す図である。
【図２】本発明の実施形態に係る基地局装置１００の概略構成を示すブロック図である。
【図３】本発明の実施形態に係る移動局装置２００の概略構成を示すブロック図である。
【図４】第１の実施形態が適用可能な移動通信システムの例を示す図である。
【図５】第１の実施形態が適用可能な移動通信システムの例を示す図である。
【図６】従来の技術における上りリンクおよび下りリンクの周波数帯域を示す図である。
【発明を実施するための形態】
【００２６】
次に、本発明に係る実施形態について、図面を参照しながら説明する。図１は、本発明の実施形態におけるチャネルの一構成例を示す図である。下りリンクの物理チャネルは、物理報知チャネル（ＰＢＣＨ：Physical Broadcast Channel）、物理下りリンク制御チャネル（ＰＤＣＣＨ：Physical Downlink Control Channel）、物理下りリンク共用チャネル（ＰＤＳＣＨ：Physical Downlink Shared Channel）、物理マルチキャストチャネル（ＰＭＣＨ：Physical Multicast Channel）、物理制御フォーマット指示チャネル（ＰＣＦＩＣＨ：Physical Control Format Indicator Channel）、物理ハイブリッド自動再送要求指示チャネル（ＰＨＩＣＨ：Physical Hybrid ARQ Indicator Channel）によって構成される。上りリンクの物理チャネルは、物理上りリンク共用チャネル（ＰＵＳＣＨ：Physical Uplink Shared Channel）、物理上りリンク制御チャネル（ＰＵＣＣＨ：Physical Uplink Control Channel）、物理ランダムアクセスチャネル（ＰＲＡＣＨ：Physical Random Access Channel）によって構成される。
【００２７】
物理報知チャネル（ＰＢＣＨ）は、４０ミリ秒間隔で報知チャネル（ＢＣＨ）をマッピングする。４０ミリ秒のタイミングは、ブラインド検出（blind detection）される。すなわち、タイミング提示のために、明示的なシグナリングを行なわない。また、物理報知チャネル（ＰＢＣＨ）を含むサブフレームは、そのサブフレームだけで復号できる（自己復号可能：self-decodable）。
【００２８】
物理下りリンク制御チャネル（ＰＤＣＣＨ）は、物理下りリンク共用チャネル（ＰＤＳＣＨ）のリソース割り当て、下りリンクデータに対するハイブリッド自動再送要求（ＨＡＲＱ：Hybrid Automatic Repeat Request）情報、および、物理上りリンク共用チャネル（ＰＵＳＣＨ）のリソース割り当てである上りリンク送信許可を移動局装置に通知するために使用されるチャネルである。
【００２９】
移動局装置は、ＰＤＣＣＨに物理下りリンク共用チャネルのリソース割り当てが含まれる場合、基地局装置からのＰＤＣＣＨによって指示されたリソース割り当てに応じて、物理下りリンク共用チャネル（ＰＤＳＣＨ）を使用してデータ（下りリンクデータ、および／または、下りリンク制御データ）を受信する。すなわち、このＰＤＣＣＨは、下りリンクに対するリソース割り当てを行なう信号（以下、「下りリンク送信許可信号」または「下りリンクグラント」と呼称する。）である。また、移動局装置は、ＰＤＣＣＨに物理上りリンク共用チャネルのリソース割り当てが含まれる場合、基地局装置からのＰＤＣＣＨによって指示されたリソース割り当てに応じて、物理上りリンク共用チャネル（ＰＵＳＣＨ）を使用してデータ（上りリンクデータ、および／または、上りリンク制御データ）を送信する。すなわち、このＰＤＣＣＨは、上りリンクに対するデータ送信を許可する信号（以下、「上りリンク送信許可信号」または「上りリンクグラント」と呼称する。）である。
【００３０】
物理下りリンク共用チャネル（ＰＤＳＣＨ）は、下りリンクデータ（下りリンク共用チャネル：ＤＬ−ＳＣＨ）またはページング情報（ページングチャネル：ＰＣＨ）を送信するために使用されるチャネルである。物理マルチキャストチャネル（ＰＭＣＨ）は、マルチキャストチャネル（ＭＣＨ）を送信するために利用するチャネルであり、下りリンク参照信号、上りリンク参照信号、物理下りリンク同期信号が別途配置される。
【００３１】
ここで、下りリンクデータ（ＤＬ−ＳＣＨ）とは、例えば、ユーザーデータの送信を示しており、ＤＬ−ＳＣＨは、トランスポートチャネルである。ＤＬ−ＳＣＨでは、ＨＡＲＱ、動的適応無線リンク制御がサポートされ、また、ビームフォーミングを利用可能である。ＤＬ−ＳＣＨは、動的なリソース割り当て、および、準静的なリソース割り当てがサポートされる。
【００３２】
物理上りリンク共用チャネル（ＰＵＳＣＨ）は、主に、上りリンクデータ（上りリンク共用チャネル：ＵＬ−ＳＣＨ）を送信するために使用されるチャネルである。また、基地局装置が、移動局装置をスケジューリングした場合には、制御データもＰＵＳＣＨを使用して送信される。この制御データには、チャネル状態情報、例えば、下りリンクのチャネル品質識別子ＣＱＩ（Channel Quality Indicator）、プレコーディングマトリックス識別子ＰＭＩ（Precoding Matrix Indicator）、ランク識別子ＲＩ（Rank Indicator）や、下りリンク送信（下りリンクトランスポートブロック）に対するＨＡＲＱのＡＣＫ／ＮＡＣＫなどが含まれる。
【００３３】
ここで、上りリンクデータ（ＵＬ−ＳＣＨ）とは、例えば、ユーザーデータの送信を示しており、ＵＬ−ＳＣＨは、トランスポートチャネルである。ＵＬ−ＳＣＨでは、ＨＡＲＱ、動的適応無線リンク制御がサポートされ、また、ビームフォーミングを利用可能である。ＵＬ−ＳＣＨは、動的なリソース割り当て、および、準静的なリソース割り当てがサポートされる。
【００３４】
また、上りリンクデータ（ＵＬ−ＳＣＨ）および下りリンクデータ（ＤＬ−ＳＣＨ）には、基地局装置と移動局装置の間でやり取りされる無線資源制御信号（以下、「ＲＲＣシグナリング：Radio Resource Control Signaling」と呼称する。）、ＭＡＣ（Medium Access Control）コントロールエレメントなどが含まれていても良い。
【００３５】
物理上りリンク制御チャネル（ＰＵＣＣＨ）は、制御データを送信するために使用されるチャネルである。ここで制御データとは、例えば、移動局装置から基地局装置へ送信（フィードバック）されるチャネル状態情報（ＣＱＩ、ＰＭＩ、ＲＩ）、移動局装置が、上りリンクデータを送信するためのリソースの割り当てを要求する（ＵＬ−ＳＣＨでの送信を要求する）スケジューリング要求（ＳＲ: Scheduling Request）、下りリンク送信（下りリンクトランスポートブロック）に対するＨＡＲＱのＡＣＫ／ＮＡＣＫなどが含まれる。
【００３６】
物理制御フォーマット指示チャネル（ＰＣＦＩＣＨ）は、ＰＤＣＣＨのために使用されるＯＦＤＭシンボル数を移動局装置に通知するために利用するチャネルであり、各サブフレームで送信される。物理ハイブリッド自動再送要求指示チャネル（ＰＨＩＣＨ）は、上りリンクデータのＨＡＲＱに使用されるＡＣＫ／ＮＡＣＫを送信するために利用するチャネルである。物理ランダムアクセスチャネル（ＰＲＡＣＨ）は、ランダムアクセスプリアンブルを送信するために使用されるチャネルであり、ガードタイムを持つ。図１に示すように、本実施形態に係る移動通信システムは、基地局装置１００と、移動局装置２００と、から構成される。
【００３７】
［基地局装置の構成］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。
【００３８】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００３９】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００４０】
送信データ変調部１０２は、送信データをＯＦＤＭ方式に変調する。送信データ変調部１０２は、データ制御部１０１から入力されたデータに対して、スケジューリング部１０４からのスケジューリング情報や、各ＰＲＢに対応する変調方式および符号化方式に基づいて、データ変調、符号化、入力信号の直列／並列変換、ＩＦＦＴ（Inverse Fast Fourier Transform：逆高速フーリエ変換）処理、ＣＰ（Cyclic Prefix）挿入、並びに、フィルタリングなどの信号処理を行ない、送信データを生成して、無線部１０３へ出力する。ここで、スケジューリング情報には、下りリンク物理リソースブロックＰＲＢ（Physical Resource Block）割り当て情報、例えば、周波数、時間から構成される物理リソースブロック位置情報が含まる。各ＰＲＢに対応する変調方式および符号化方式には、例えば、変調方式：１６ＱＡＭ、符号化率：２／３コーディングレートなどの情報が含まれる。
【００４１】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００４２】
スケジューリング部１０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００４３】
スケジューリング部１０４は、下りリンクのスケジューリングでは、移動局装置２００から受信したフィードバック情報（上りリンクのチャネル状態情報（ＣＱＩ、ＰＭＩ、ＲＩ）や、下りリンクデータに対するＡＣＫ／ＮＡＣＫ情報など）、各移動局装置の使用可能なＰＲＢの情報、バッファ状況、上位層１０８から入力されたスケジューリング情報などに基づいて、各データを変調するための下りリンクのトランスポートフォーマット（送信形態、すなわち、物理リソースブロックの割り当ておよび変調方式および符号化方式など）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００４４】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態、すなわち、物理リソースブロックの割り当ておよび変調方式および符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００４５】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００４６】
チャネル推定部１０５は、上りリンクデータの復調のために、上りリンク復調用参照信号（ＤＲＳ：Demodulation Reference Signal）から上りリンクのチャネル状態を推定し、その推定結果を受信データ復調部１０６に出力する。また、上りリンクのスケジューリングを行なうために、上りリンク測定用参照信号（ＳＲＳ：Sounding Reference Signal）から上りリンクのチャネル状態を推定し、その推定結果をスケジューリング部１０４に出力する。
【００４７】
受信データ復調部１０６は、ＯＦＤＭ方式、および／または、ＳＣ−ＦＤＭＡ方式に変調された受信データを復調するＯＦＤＭ復調部および／またはＤＦＴ−Ｓｐｒｅａｄ−ＯＦＤＭ（ＤＦＴ−Ｓ−ＯＦＤＭ）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００４８】
データ抽出部１０７は、受信データ復調部１０６から入力されたデータに対して、正誤を確認するとともに、確認結果（肯定信号ＡＣＫ／否定信号ＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から通知されたチャネル状態情報（ＣＱＩ、ＰＭＩ、ＲＩ）やＡＣＫ／ＮＡＣＫ情報、スケジューリング要求などが含まれている。
【００４９】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００５０】
上位層１０８は、無線リソース制御部１１０（制御部とも言う。）を有している。また、無線リソース制御部１１０は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行なっている。上位層１０８は、別の基地局装置への情報および上位ノードへの情報の授受を行なう。
【００５１】
［移動局装置の構成］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。
【００５２】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００５３】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００５４】
送信データ変調部２０２は、送信データをＯＦＤＭ方式、および／または、ＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００５５】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００５６】
スケジューリング部２０４は、媒体アクセス制御（ＭＡＣ：Medium Access Control）層の処理を行なう。スケジューリング部２０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００５７】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００５８】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００５９】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力された下りリンクのチャネル状態情報（ＣＱＩ、ＰＭＩ、ＲＩ）や、データ抽出部２０７から入力されたＣＲＣチェックの確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００６０】
チャネル推定部２０５は、下りリンクデータの復調のために、下りリンク参照信号（ＲＳ）から下りリンクのチャネル状態を推定し、その推定結果を受信データ復調部２０６に出力する。また、チャネル推定部２０５は、基地局装置１００に下りリンクのチャネル状態（無線伝搬路状態）の推定結果を通知するために、下りリンク参照信号（ＲＳ）から下りリンクのチャネル状態を推定し、この推定結果を下りリンクのチャネル状態情報（ＣＱＩ、ＰＭＩ、ＲＩなど）に変換して、スケジューリング部２０４に出力する。
【００６１】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００６２】
データ抽出部２０７は、受信データ復調部２０６から入力されたデータに対して、ＣＲＣチェックを行ない、正誤を確認するとともに、確認結果（肯定応答ＡＣＫ／否定応答ＮＡＣＫ）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００６３】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００６４】
上位層２０８は、無線リソース制御部２１０（制御部とも言う）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【００６５】
（第１の実施形態）
次に、基地局装置１００および移動局装置２００を用いた移動通信システムにおける第１の実施形態を説明する。第１の実施形態では、基地局装置は、物理下りリンク共用チャネルを使用して下りリンクトランスポートブロックを送信し、同一サブフレームで割り当てられた物理下りリンク共用チャネルの数を示す情報を上りリンク送信許可信号に含めて送信し、移動局装置は、上りリンク許可信号に含まれる同一サブフレームで割り当てられた物理下りリンク共用チャネルの数を示す情報に応じて、下りリンクトランスポートブロックに対するＨＡＲＱのＡＣＫ／ＮＡＣＫを示す情報を送信する。
【００６６】
また、基地局装置は、物理下りリンク共用チャネルを使用して下りリンクトランスポートブロックを送信し、１つの上りリンクのキャリア要素に対応する複数の下りリンクのキャリア要素内において同一サブフレームで割り当てられた物理下りリンク共用チャネルの数を示す情報を上りリンク送信許可信号に含めて送信し、移動局装置は、上りリンク許可信号に含まれる１つの上りリンクのキャリア要素に対応する複数の下りリンクのキャリア要素内において同一サブフレームで割り当てられた物理下りリンク共用チャネルの数を示す情報に応じて、下りリンクのトランスポートブロックに対するＨＡＲＱのＡＣＫ／ＮＡＣＫを示す情報を送信する。
【００６７】
以下、第１の実施形態では、周波数帯域は、帯域幅（Ｈｚ）で定義されているが、周波数と時間で構成されるリソースブロック（ＲＢ）の数で定義されても良い。本実施形態におけるキャリア要素とは、（広帯域な）システム帯域を持った移動通信システムにおいて、基地局装置と移動局装置が通信を行なう際に使用する（狭帯域な）周波数帯域を示している。基地局装置と移動局装置は、複数のキャリア要素（例えば、２０ＭＨｚの帯域幅を持った５つの周波数帯域）を集約する(周波数帯域集約：Spectrum aggregation、Carrier aggregation、Frequency aggregation、などとも呼ばれる。）ことによって、（広帯域な）システム帯域（例えば、１００ＭＨｚの帯域幅を持ったシステム帯域）を構成し、高速なデータ通信（情報の送受信）を実現することができる。
【００６８】
キャリア要素とは、この（広帯域な）システム帯域（例えば、１００ＭＨｚの帯域幅を持ったシステム帯域）を構成する（狭帯域な）周波数帯域（例えば、２０ＭＨｚの帯域幅を持った周波数帯域）それぞれのことを示している。すなわち、下りリンクのキャリア要素は、基地局装置と移動局装置が、下りリンクの情報を送受信する際に使用可能な周波数帯域の中の一部の帯域幅を有し、上りリンクのキャリア要素は、基地局装置と移動局装置が、上りリンクの情報を送受信する際に使用可能な周波数帯域の中の一部の帯域幅を有している。また、キャリア要素は、ある特定の物理チャネル（例えば、ＰＤＣＣＨ、ＰＵＣＣＨなど）が構成される単位として定義されてもよい。
【００６９】
また、この広帯域な周波数帯域を構成するキャリア要素自体が、さらに、複数のキャリア要素によって構成されていてもよい。以下、本実施形態では、複数のキャリア要素（群）によって構成されるキャリア要素をキャリア要素グループ（ＣＣＧ：Component Carrier Group、Carrier Component Group）と呼称する。例えば、本実施形態では、広帯域なシステム帯域（例えば、１００ＭＨｚの帯域幅を持ったシステム帯域）を、２つのキャリア要素グループ（例えば、４０ＭＨｚの帯域幅を持ったキャリア要素グループ（ＣＣＧ−０）と６０ＭＨｚの帯域幅を持ったキャリア要素グループ（ＣＣＧ−１））によって構成し、それら２つのキャリア要素グループそれぞれを、さらに複数のキャリア要素によって構成することができる。例えば、４０ＭＨｚの帯域幅を持ったキャリア要素グループ（ＣＣＧ−０）を、２０ＭＨｚの帯域幅を持った２つのキャリア要素（ＣＣ−０、ＣＣ−１）を集約することによって構成し、６０ＭＨｚの帯域幅を持ったキャリア要素グループ（ＣＣＧ−１）を、２０ＭＨｚの帯域幅を持った３つのキャリア要素（ＣＣ−２、ＣＣ−３、ＣＣ−４）を集約することによって構成することができる。また、キャリア要素および／またはキャリア要素グループは、連続な周波数帯域に配置されていても、不連続な周波数帯域に配置されていてもよく、連続および／または不連続な周波数帯域である複数のキャリア要素および／またはキャリア要素グループを集約することによって、広帯域なシステム帯域を構成することができる。さらに、キャリア要素および／またはキャリア要素グループによって構成される下りリンクの周波数帯域（ＤＬシステム帯域、ＤＬシステム帯域幅）および上りリンクの周波数帯域（ＵＬシステム帯域、ＵＬシステム帯域幅）は、同じ帯域幅である必要はない。基地局装置と移動局装置は、ＤＬシステム帯域とＵＬシステム帯域が異なる帯域幅であっても、それらの周波数帯域を使用して通信を行なうことができる。
【００７０】
図４は、第１の実施形態が適用可能な移動通信システムの例を示す図である。図４は、第１の実施形態を説明する例として、ＤＬシステム帯域（例として、１００ＭＨｚの帯域幅を持った周波数帯域を示している。）が、５つの下りリンクのキャリア要素（ＤＣＣ−０、ＤＣＣ−１、ＤＣＣ−２、ＤＣＣ−３、ＤＣＣ−４、例として、それぞれが２０ＭＨｚの帯域幅を持った下りリンクのキャリア要素を示している。）によって構成されていることを示している。図４では、下りリンクのキャリア要素（ＤＣＣ−０、ＤＣＣ−１、ＤＣＣ−２、ＤＣＣ−３、ＤＣＣ−４）それぞれの（それぞれに配置されている、とも言える）物理下りリンク共用チャネル（ＰＤＳＣＨ）を、ＤＣＣ−０ ＰＤＳＣＨ、ＤＣＣ−１ ＰＤＳＣＨ、ＤＣＣ−２ ＰＤＳＣＨ、ＤＣＣ−３ ＰＤＳＣＨ、ＤＣＣ−４ ＰＤＳＣＨと記載している。
【００７１】
第１の実施形態において、基地局装置は、下りリンクのキャリア要素（ＤＣＣ−０、ＤＣＣ−１、ＤＣＣ−２、ＤＣＣ−３、ＤＣＣ−４）それぞれの物理下りリンク共用チャネル（ＰＤＳＣＨ）を使用して、移動局装置に対して下りリンクトランスポートブロックを送信する。すなわち、基地局装置は、同一サブフレームでＤＬシステム帯域を構成する下りリンクのキャリア要素の数まで（この例では、５つまで）の下りリンクトランスポートブロックを、移動局装置に送信することができる。
【００７２】
また、図４は、ＵＬシステム帯域（例として、１００ＭＨｚの帯域幅を持った周波数帯域を示している。）が、５つの上りリンクのキャリア要素（ＵＣＣ−０、ＵＣＣ−１、ＵＣＣ−２、ＵＣＣ−３、ＵＣＣ−４、例として、それぞれが２０ＭＨｚの帯域幅を持った上りリンクのキャリア要素を示している。）によって構成されていることを示している。ここで、ＤＬシステム帯域が、ＤＣＣ−０、ＤＣＣ−１、ＤＣＣ−２、ＤＣＣ−３、ＤＣＣ−４から構成されているということは、ＤＬシステム帯域を、ＤＣＣ−０、ＤＣＣ−１、ＤＣＣ−２、ＤＣＣ−３、ＤＣＣ−４に分割することができるとも解釈することができる。また、ＵＬシステム帯域が、ＵＣＣ−０、ＵＣＣ−１、ＵＣＣ−２、ＵＣＣ−３、ＵＣＣ−４から構成されているということは、ＵＬシステム帯域を、ＵＣＣ−０、ＵＣＣ−１、ＵＣＣ−２、ＵＣＣ−３、ＵＣＣ−４に分割することができるとも解釈することができる。
【００７３】
図４に示す移動通信システムにおいて、移動局装置は、基地局装置から送信される下りリンクトランスポートブロックに対するＨＡＲＱのＡＣＫ／ＮＡＣＫを、上りリンクのキャリア要素（ＵＣＣ−０、ＵＣＣ−１、ＵＣＣ−２、ＵＣＣ−３、ＵＣＣ−４）の物理上りリンク制御チャネル（ＰＵＣＣＨ）を使用して送信する。また、移動局装置は、基地局装置から送信される上りリンク許可信号によって物理上りリンク共用チャネル（ＰＵＳＣＨ）が割り当てられた場合には、割り当てられたＰＵＳＣＨのリソースを使用して、下りリンクトランスポートブロックに対するＨＡＲＱのＡＣＫ／ＮＡＣＫを送信する。
【００７４】
ここで、基地局装置は移動局装置に対して、同一サブフレームで複数の上りリンク送信許可信号を送信することができる。図４では、例として、基地局装置が、ＤＣＣ−０を使用して送信した上りリンク許可信号によってＵＣＣ−０のＰＵＳＣＨリソースを、ＤＣＣ−１を使用して送信した上りリンク許可信号によってＵＣＣ−１のＰＵＳＣＨリソースを、ＤＣＣ−２を使用して送信した上りリンク許可信号によってＵＣＣ−２のＰＵＳＣＨリソースを、ＤＣＣ−３を使用して送信した上りリンク許可信号によってＵＣＣ−３のＰＵＳＣＨリソースを、ＤＣＣ−４を使用して送信した上りリンク許可信号によってＵＣＣ−４のＰＵＳＣＨリソースを、同一サブフレームで移動局装置に対して割り当てていることを示している。
【００７５】
上記に示した通り、第１の実施形態では、基地局装置は、物理下りリンク共用チャネルを使用して下りリンクトランスポートブロックを送信し、同一サブフレームで割り当てられた物理下りリンク共用チャネルの数を示す情報を上りリンク送信許可信号に含めて送信し、移動局装置は、上りリンク許可信号に含まれる同一サブフレームで割り当てられた物理下りリンク共用チャネルの数を示す情報に応じて、下りリンクトランスポートブロックに対するＨＡＲＱのＡＣＫ／ＮＡＣＫを示す情報を送信する。
【００７６】
具体的な例を挙げて説明する。図４に示す移動通信システムにおいて、基地局装置は、５つの下りリンクのキャリア要素ＤＣＣ−０、ＤＣＣ−１、ＤＣＣ−２、ＤＣＣ−３、ＤＣＣ−４それぞれのＰＤＳＣＨを使用して、下りリンクのトランスポートブロックを送信する。すなわち、基地局装置は、下りリンクのトランスポートブロックを送信するために５つのＰＤＳＣＨのリソースを割り当てることになる。さらに、基地局装置は、下りリンクのキャリア要素ＤＣＣ−０を使用して、同一サブフレームで割り当てられたＰＤＳＣＨの数（ＰＤＳＣＨが割り当てられたキャリア要素の数、でも良い）を示す情報として“５”を示す情報（ここでは、同一サブフレームで割り当てられたＰＤＳＣＨの合計数“５”を示す情報）を含んだ上りリンク送信許可信号を送信する。移動局装置は、基地局装置からの上りリンク送信許可信号に含まれる同一サブフレームで割り当てられたＰＤＳＣＨの数を示す情報（ここでは、“５”を示す情報）に従って、５つの下りリンクトランスポートブロックに対するＨＡＲＱのＡＣＫ／ＮＡＣＫを示す情報を、ＵＣＣ−０のＰＵＳＣＨを使用して送信する。ここで、移動局装置が、５つの下りリンクのトランスポートブロックに対するＨＡＲＱのＡＣＫ／ＮＡＣＫを示す情報を送信する際には、例えば、５つの下りリンクトランスポートブロックに対するＨＡＲＱのＡＣＫ／ＮＡＣＫを示す情報をバンドル（bundle：束に、塊に）して、もしくは、多重（multiplexing）して送信することができる。すなわち、移動局装置は、基地局装置からの上りリンク送信許可信号によって割り当てられた上りリンクのリソース（時間および／または／周波数および／または位相リソース）と同一サブフレームで割り当てられたＰＤＳＣＨの数を示す情報に応じて、５つの下りリンクトランスポートブロックをバンドル（bundle：束に、塊に）、もしくは、多重（multiplexing）して送信する。
【００７７】
ここで、移動局装置は、バンドルされた下りリンクトランスポートブロックに対するＨＡＲＱのＡＣＫ／ＮＡＣＫを示す情報に、ＨＡＲＱのＡＣＫ／ＮＡＣＫを示す情報を送信しているのか、もしくは、ＤＴＸ（Discontinuous Transmission）を示す情報を送信しているのかを区別（識別、指示）ためのコードをスクランブルして送信しても良い（ＨＡＲＱのＡＣＫ／ＮＡＣＫを示す情報に、スクランブリングコードをかけて送信しても良い）。ここで、ＤＴＸとは、移動局装置が、基地局装置からの物理下りリンク制御チャネル（ＰＤＣＣＨ）自体を検出できなかったことを示しており、ＤＴＸを示す情報とは、下りリンクのキャリア要素を使用して送信される複数のＰＤＣＣＨのうち、少なくとも１つのＰＤＣＣＨを検出できなかったことを示す情報を示している。さらに、移動局装置は、下りリンクのキャリア要素（ＤＣＣ−０、ＤＣＣ−１、ＤＣＣ−２、ＤＣＣ−３、ＤＣＣ−４）それぞれに対応するコードを、バンドルしたＨＡＲＱのＡＣＫ／ＮＡＣＫを示す情報にスクランブルして送信する（ＨＡＲＱのＡＣＫ／ＮＡＣＫを示す情報に、下りリンクのキャリア要素それぞれに対応したスクランブリングコードをかけて送信する）ことによって、ＰＤＣＣＨを検出できなかった（ＤＴＸした）下りリンクのキャリア要素を区別（識別、指示）して送信しても良い。さらに、移動局装置は、下りリンクのキャリア要素（ＤＣＣ−０、ＤＣＣ−１、ＤＣＣ−２、ＤＣＣ−３、ＤＣＣ−４）それぞれに対応するコードを、バンドルしたＨＡＲＱのＡＣＫ／ＮＡＣＫを示す情報にスクランブルして送信する（ＨＡＲＱのＡＣＫ／ＮＡＣＫを示す情報に、下りリンクのキャリア要素それぞれに対応したスクランブリングコードをかけて送信する）ことによって、ＡＣＫ（もしくはＮＡＣＫ）を示す情報が送信される少なくとも１つの下りリンクのキャリア要素を示して（識別して、指示して）送信しても良い。移動局装置が、ＨＡＲＱのＡＣＫ／ＮＡＣＫを示す情報にスクランブルするコードは仕様等で事前に定義することができ、移動局装置は、事前に定義されたコードを選択してＨＡＲＱのＡＣＫ／ＮＡＣＫを示す情報にスクランブルすることによって、新たに制御信号（制御情報）を追加することなく、上記までに記載したような処理（動作）を効率的に行うことができる。
【００７８】
さらに別の例を挙げて説明する。図４に示す移動通信システムにおいて、基地局装置は５つの下りリンクのキャリア要素ＤＣＣ−０、ＤＣＣ−１、ＤＣＣ−２、ＤＣＣ−３、ＤＣＣ−４それぞれのＰＤＳＣＨを使用して、下りリンクのトランスポートブロックを送信する。すなわち、基地局装置は、下りリンクのトランスポートブロックを送信するために５つのＰＤＳＣＨのリソースを割り当てることになる。さらに、基地局装置は、ＤＣＣ−０を使用して、同一サブフレームで割り当てられたＰＤＳＣＨの数を示す情報として“２”を示す情報を含んだ上りリンク送信許可信号と、ＤＣＣ−２を使用して、同一サブフレームで割り当てられたＰＤＳＣＨの数を示す情報として“３”を示す情報を含んだ上りリンク送信許可信号を送信する。この際、基地局装置は、ＤＣＣ−０を使用した上りリンク送信許可信号の送信と、ＤＣＣ−２を使用した上りリンク送信許可信号の送信を同一サブフレームで行うことができる。移動局装置は、基地局装置から同一サブフレームで送信された２つの上りリンク送信許可信号に含まれる割り当てられたＰＤＳＣＨの数を示す情報（ここでは、“２”を示す情報と“３”を示す情報）に従って、２つの下りリンクトランスポートブロックに対するＨＡＲＱのＡＣＫ／ＮＡＣＫを示す情報を、ＵＣＣ−０のＰＵＳＣＨを使用して送信し、３つの下りリンクトランスポートブロックに対するＨＡＲＱのＡＣＫ／ＮＡＣＫを示す情報を、ＵＣＣ−１のＰＵＳＣＨを使用して送信する。ここで、移動局装置が、２つの下りリンクトランスポートブロック、および、３つの下りリンクトランスポートブロックに対するＨＡＲＱのＡＣＫ／ＮＡＣＫを示す情報を送信する際には、例えば、２つの下りリンクトランスポートブロックに対するＨＡＲＱのＡＣＫ／ＮＡＣＫを示す情報、および、３つの下りリンクトランスポートブロックに対するＨＡＲＱのＡＣＫ／ＮＡＣＫを示す情報をそれぞれバンドル（bundle：束に、塊に）して、もしくは、多重（multiplexing）して送信することができる。
【００７９】
さらに別の例を挙げて説明する。図４に示す移動通信システムにおいて、基地局装置は５つの下りリンクのキャリア要素ＤＣＣ−０、ＤＣＣ−１、ＤＣＣ−２、ＤＣＣ−３、ＤＣＣ−４それぞれのＰＤＳＣＨを使用して、下りリンクのトランスポートブロックを送信する。すなわち、基地局装置は、下りリンクのトランスポートブロックを送信するために５つのＰＤＳＣＨのリソースを割り当てることになる。さらに、基地局装置は、ＤＣＣ−０を使用して、同一サブフレームで割り当てられたＰＤＳＣＨの数を示す情報として“５”を示す情報を含んだ上りリンク送信許可信号と、ＤＣＣ−２を使用して、同一サブフレームで割り当てられたＰＤＳＣＨの数を示す情報として“５”を示す情報を含んだ上りリンク送信許可信号を送信する。この際、基地局装置は、ＤＣＣ−０を使用した上りリンク送信許可信号の送信と、ＤＣＣ−２を使用した上りリンク送信許可信号の送信を同一サブフレームで行うことができる。移動局装置は、基地局装置から同一サブフレームで送信された２つの上りリンク送信許可信号に含まれる割り当てられたＰＤＳＣＨの数を示す情報（ここでは、“５”を示す情報と“５”を示す情報）に従って、５つの下りリンクトランスポートブロックに対するＨＡＲＱのＡＣＫ／ＮＡＣＫを示す情報を、ＵＣＣ−０のＰＵＳＣＨを使用して送信し、５つの下りリンクトランスポートブロックに対するＨＡＲＱのＡＣＫ／ＮＡＣＫを示す情報を、ＵＣＣ−２のＰＵＳＣＨを使用して送信する。すなわち、ＵＣＣ−０のＰＵＳＣＨとＵＣＣ−２のＰＵＳＣＨを使用して送信される下りリンクトランスポートブロックに対するＨＡＲＱのＡＣＫ／ＮＡＣＫは同じものとなる（繰り返される）。ここで、移動局装置が、ＵＣＣ−０を使用した５つの下りリンクトランスポートブロック、および、ＵＣＣ−２を使用した５つの下りリンクトランスポートブロックに対するＨＡＲＱのＡＣＫ／ＮＡＣＫを示す情報の送信には、例えば、ＵＣＣ−０を使用して送信される５つの下りリンクトランスポートブロックに対するＨＡＲＱのＡＣＫ／ＮＡＣＫを示す情報、および、ＵＣＣ−２を使用して送信される５つの下りリンクトランスポートブロックに対するＨＡＲＱのＡＣＫ／ＮＡＣＫを示す情報をそれぞれバンドル（bundle：束に、塊に）して、もしくは、多重（multiplexing）して送信することができる。
【００８０】
図５は、同様に、第１の実施形態を説明する例として、ＤＬシステム帯域（例として、１００ＭＨｚの帯域幅を持った周波数帯域を示している。）が、２つの下りリンクのキャリア要素グループ（ＤＣＣＧ−０、ＤＣＣＧ−１、例として、それぞれが４０ＭＨｚ、６０ＭＨｚの帯域幅を持った下りリンクのキャリア要素グループを示している。）によって構成されていることを示している。さらに、４０ＭＨｚの帯域幅を持ったキャリア要素グループ（ＤＣＣＧ−０）が、２つの下りリンクのキャリア要素（ＤＣＣ−０、ＤＣＣ−１、例として、それぞれが２０ＭＨｚの帯域幅を持った下りリンクのキャリア要素を示している。）によって構成されており、６０ＭＨｚの帯域幅を持ったキャリア要素グループ（ＤＣＣＧ−１）が、３つの下りリンクのキャリア要素（ＤＣＣ−２、ＤＣＣ−３、ＤＣＣ−４、例として、それぞれが２０ＭＨｚの帯域幅を持った下りリンクのキャリア要素を示している。）によって構成されていることを示している。上記で示したように、本実施形態では、複数のキャリア要素（群）によって構成される（複数のキャリア要素（群）を含む）キャリア要素をキャリア要素グループと呼称している。
【００８１】
図５では、下りリンクのキャリア要素（ＤＣＣ−０、ＤＣＣ−１、ＤＣＣ−２、ＤＣＣ−３、ＤＣＣ−４）それぞれの（それぞれに配置されている、とも言える）物理下りリンク共用チャネル（ＰＤＳＣＨ）を、ＤＣＣ−０ ＰＤＳＣＨ、ＤＣＣ−１ ＰＤＳＣＨ、ＤＣＣ−２ ＰＤＳＣＨ、ＤＣＣ−３ ＰＤＳＣＨ、ＤＣＣ−４ ＰＤＳＣＨと記載している。
【００８２】
図５に示す移動通信システムにおいて、基地局装置は、下りリンクのキャリア要素（ＤＣＣ−０、ＤＣＣ−１、ＤＣＣ−２、ＤＣＣ−３、ＤＣＣ−４）それぞれの物理下りリンク共用チャネル（ＰＤＳＣＨ）を使用して、下りリンクのトランスポートブロックを送信する。すなわち、基地局装置は、同一サブフレームで、ＤＬシステム帯域を構成する下りリンクのキャリア要素グループに含まれる下りリンクのキャリア要素の数まで（この例では、５つまで）の下りリンクのトランスポートブロックを、移動局装置に送信することができる。
【００８３】
また、図５は、ＵＬシステム帯域（例として、４０ＭＨｚの帯域幅を持った周波数帯域を示している。）が、２つの上りリンクのキャリア要素（ＵＣＣ−０、ＵＣＣ−１、例として、それぞれが２０ＭＨｚの帯域幅を持った上りリンクのキャリア要素を示している。）によって構成されていることを示している。ここで、ＤＬシステム帯域が、ＤＣＣＧ−０、ＤＣＣＧ−１から構成されているということは、ＤＬシステム帯域を、ＤＣＣＧ−０、ＤＣＣＧ−１に分割することができるとも解釈することができる。また、ＵＬシステム帯域が、ＵＣＣ−０、ＵＣＣ−１から構成されているということは、ＵＬシステム帯域を、ＵＣＣ−０、ＵＣＣ−１に分割することができるとも解釈することができる。同様に、ＤＣＣＧ−０を、ＤＣＣ−０、ＤＣＣ−１に、ＤＣＣＧ−１を、ＤＣＣ−２、ＤＣＣ−３、ＤＣＣ−４に分割することができるとも解釈することができる。
【００８４】
図５に示す移動通信システムにおいて、基地局装置と移動局装置は、２つの下りリンクのキャリア要素グループ（ＤＣＣＧ−０、ＤＣＣＧ−１）と、２つの上りリンクのキャリア要素（ＵＣＣ−０、ＵＣＣ−１）を相互に対応させて（リンクさせて）、対応させた（リンクさせた）下りリンクのキャリア要素グループと上りリンクのキャリア要素の組み合わせのそれぞれで通信を行なう。すなわち、１つの上りリンクのキャリア要素と複数の下りリンクのキャリア要素を対応させて（リンクさせて）、対応させた（リンクさせた）上りリンクのキャリア要素と複数の下りリンクキャリア要素の組み合わせのそれぞれで通信を行なう。ここで、上りリンクのキャリア要素と複数の下りリンクのキャリア要素を対応させる方法としては、例えば、基地局装置が、移動局装置に対して報知チャネル（ＢＣＨ）を使用してセル固有に対応関係を設定したり、無線資源制御信号（ＲＲＣシグナリング）を使用して移動局装置固有に対応関係を設定したりすることができる。図５では、例として、基地局装置と移動局装置が、ＤＣＣ−０およびＤＣＣ−１を含むＤＣＣＧ−０とＵＣＣ−０、ＤＣＣ−２およびＤＣＣ−３およびＤＣＣ−４を含むＤＣＣＧ−１とＵＣＣ−１を相互に対応させて（下りリンクのキャリア要素グループと上りリンクのキャリア要素を、周波数が増加する方向に、相互に対応させて）通信を行なっている様子を示している。すなわち、移動局装置は、基地局装置からＤＣＣ−０および／またはＤＣＣ−１を使用して送信される下りリンクのトランスポートブロックに対するＨＡＲＱのＡＣＫ／ＮＡＣＫを、対応するＵＣＣ−０を使用して送信し、ＤＣＣ−２および／またはＤＣＣ−３および／またはＤＣＣ−４を使用して送信される下りリンクのトランスポートブロックに対するＨＡＲＱのＡＣＫ／ＮＡＣＫを、対応するＵＣＣ−１を使用して送信する。
【００８５】
ここで、基地局装置は移動局装置に対して、同一サブフレームで複数の上りリンク送信許可信号を送信することができる。すなわち、図５では、基地局装置が、ＤＣＣ−０および／またはＤＣＣ−１を使用して送信した上りリンク許可信号によってＵＣＣ−０のＰＵＳＣＨリソースを、ＤＣＣ−２および／またはＤＣＣ−３および／またはＤＣＣ−４を使用して送信した上りリンク許可信号によってＵＣＣ−１のＰＵＳＣＨリソースを、同一サブフレームで移動局装置に対して割り当てていることを示している。
【００８６】
上記に示した通り、第１の実施形態では、基地局装置は、物理下りリンク共用チャネルを使用して下りリンクトランスポートブロックを送信し、１つの上りリンクのキャリア要素に対応する複数の下りリンクのキャリア要素内において同一サブフレームで割り当てられた物理下りリンク共用チャネルの数を示す情報を上りリンク送信許可信号に含めて送信し、移動局装置は、上りリンク許可信号に含まれる１つの上りリンクのキャリア要素に対応する複数の下りリンクのキャリア要素内において同一サブフレームで割り当てられた物理下りリンク共用チャネルの数を示す情報に応じて、下りリンクのトランスポートブロックに対するＨＡＲＱのＡＣＫ／ＮＡＣＫを示す情報を送信する。
【００８７】
具体的な例を挙げて説明する。図５に示す移動通信システムにおいて、基地局装置は５つの下りリンクのキャリア要素ＤＣＣ−０、ＤＣＣ−１、ＤＣＣ−２、ＤＣＣ−３、ＤＣＣ−４それぞれのＰＤＳＣＨを使用して、下りリンクのトランスポートブロックを送信する。すなわち、基地局装置は、下りリンクのトランスポートブロックを送信するために５つのＰＤＳＣＨのリソースを割り当てることになる。さらに、基地局装置は、１つの上りリンクのキャリア要素（ＵＣＣ−０）に対応する複数の下りリンクのキャリア要素（ＤＣＣ−０、ＤＣＣ−１）で割り当てられたＰＤＳＣＨの数を示す情報として“２”を示す情報（ここでは、ＤＣＣ−０、ＤＣＣ−１で割り当てられたＰＤＳＣＨの合計数“２”を示す情報）を含んだ上りリンク送信許可信号を、ＤＣＣ−０および／またはＤＣＣ−１を使用して送信する。同様に、基地局装置は、１つの上りリンクのキャリア要素（ＵＣＣ−１）に対応する複数の下りリンクのキャリア要素（ＤＣＣ−２、ＤＣＣ−３、ＤＣＣ−４）で割り当てられたＰＤＳＣＨの数を示す情報として“３”を示す情報（ここでは、ＤＣＣ−２、ＤＣＣ−３、ＤＣＣ−４で割り当てられたＰＤＳＣＨの合計数“３”を示す情報）を含んだ上りリンク送信許可信号を、ＤＣＣ−２および／またはＤＣＣ−３および／またはＤＣＣ−４を使用して送信する。ここで、基地局装置は、ＤＣＣ−０および／またはＤＣＣ−１を使用した上りリンク送信許可信号と、ＤＣＣ−２および／またはＤＣＣ−３および／またはＤＣＣ−４を使用した上りリンク送信許可信号を同一サブフレームで送信できる。
【００８８】
移動局装置は、基地局装置からＤＣＣ−０および／またはＤＣＣ−１を使用して送信された上りリンク送信許可信号に含まれる割り当てられたＰＤＳＣＨの数を示す情報（ここでは、“２”を示す情報）に従って、２つの下りリンクトランスポートブロックに対するＨＡＲＱのＡＣＫ／ＮＡＣＫを示す情報を、ＵＣＣ−０のＰＵＳＣＨを使用して送信する。ここで、移動局装置が、２つの下りリンクのトランスポートブロックに対するＨＡＲＱのＡＣＫ／ＮＡＣＫを示す情報を送信する際には、例えば、２つの下りリンクトランスポートブロックに対するＨＡＲＱのＡＣＫ／ＮＡＣＫを示す情報をバンドル（bundle：束に、塊に）して、もしくは、多重（multiplexing）して送信することができる。
【００８９】
さらに、移動局装置は、基地局装置からＤＣＣ−２および／またはＤＣＣ−３および／またはＤＣＣ−４を使用して送信された上りリンク送信許可信号に含まれる割り当てられたＰＤＳＣＨの数を示す情報（ここでは、“３”を示す情報）に従って、３つの下りリンクトランスポートブロックに対するＨＡＲＱのＡＣＫ／ＮＡＣＫを示す情報を、ＵＣＣ−１のＰＵＳＣＨを使用して送信する。ここで、移動局装置が、３つの下りリンクのトランスポートブロックに対するＨＡＲＱのＡＣＫ／ＮＡＣＫを示す情報を送信する際には、例えば、３つの下りリンクトランスポートブロックに対するＨＡＲＱのＡＣＫ／ＮＡＣＫを示す情報をバンドル（bundle：束に、塊に）して、もしくは、多重（multiplexing）して送信することができる。また、移動局装置は、ＵＣＣ−０を使用したＨＡＲＱのＡＣＫ／ＮＡＣＫを示す情報の送信と、ＵＣＣ−１を使用したＨＡＲＱのＡＣＫ／ＮＡＣＫを示す情報の送信を、同一サブフレームで行うことができる。
【００９０】
ここで、上記までに示した通り、基地局装置と移動局装置が、上りリンクのキャリア要素（ＵＣＣ−０、ＵＣＣ−１）それぞれと複数の下りリンクのキャリア要素を含むキャリア要素グループ（ＤＣＣＧ−０、ＤＣＣＧ−１）を相互に対応させて（リンクさせて）、下りリンクトランスポートブロックに対するＨＡＲＱのＡＣＫ／ＮＡＣＫを示す情報の送受信を行うことによって、移動局装置が、下りリンクトランスポートブロックに対するＨＡＲＱのＡＣＫ／ＮＡＣＫを示す情報を送信する際のバンドリングウィンドウ（bundling window）、もしくは、多重ウィンドウ（multiplexing window）を制限することができる。すなわち、基地局装置が、上りリンクのキャリア要素と下りリンクのキャリア要素グループの対応関係を報知チャネル（ＢＣＨ）、もしくは、無線資源制御信号（ＲＲＣシグナリング）を使用して設定することによって、移動局装置が、ＨＡＲＱのＡＣＫ／ＮＡＣＫを示す情報を送信する際にバンドル（bundle：束に、塊に）する、もしくは、多重する（multiplexing）ＰＤＳＣＨの数を変更する（制限する）ことか可能となり、上りリンクのキャリア要素（ＵＣＣ−０、ＵＣＣ−１）それぞれを効率的に使用した、伝播路の状況の変化に対して強固な（ロバストな）ＨＡＲＱのＡＣＫ／ＮＡＣＫを示す情報の送受信を行うことができる。さらに、基地局装置は、上りリンク送信許可信号に下りリンクのキャリア要素グループ内で送信されるＰＤＳＣＨの数を示す情報（制限された下りリンクのキャリア要素内で送信されるＰＤＳＣＨの数を示す情報）を含めて送信すればよく、上りリンク送信許可信号に含まれる割り当てられたＰＤＳＣＨの数を示す情報の情報量を削減することができる。 
【００９１】
別の例を挙げて説明する。図５に示す移動通信システムにおいて、基地局装置は３つの下りリンクのキャリア要素ＤＣＣ−０、ＤＣＣ−２、ＤＣＣ−４それぞれのＰＤＳＣＨを使用して、下りリンクのトランスポートブロックを送信する。すなわち、基地局装置は、下りリンクのトランスポートブロックを送信するために３つのＰＤＳＣＨのリソースを割り当てることになる。さらに、基地局装置は、１つの上りリンクのキャリア要素（ＵＣＣ−０）に対応する複数の下りリンクのキャリア要素（ＤＣＣ−０、ＤＣＣ−１）で割り当てられたＰＤＳＣＨの数を示す情報として“１”を示す情報を含んだ上りリンク送信許可信号を、ＤＣＣ−０および／またはＤＣＣ−１を使用して送信する。同様に、基地局装置は、１つの上りリンクのキャリア要素（ＵＣＣ−１）に対応する複数の下りリンクのキャリア要素（ＤＣＣ−２、ＤＣＣ−４）で割り当てられたＰＤＳＣＨの数を示す情報として“２”を示す情報を含んだ上りリンク送信許可信号を、ＤＣＣ−２および／またはＤＣＣ−３および／またはＤＣＣ−４を使用して送信する。ここで、基地局装置は、ＤＣＣ−０および／またはＤＣＣ−１を使用した上りリンク送信許可信号と、ＤＣＣ−２および／またはＤＣＣ−３および／またはＤＣＣ−４を使用した上りリンク送信許可信号を同一サブフレームで送信できる。
【００９２】
移動局装置は、基地局装置からＤＣＣ−０および／またはＤＣＣ−１を使用して送信された上りリンク送信許可信号に含まれる割り当てられたＰＤＳＣＨの数を示す情報（ここでは、“１”を示す情報）に従って、１つの下りリンクトランスポートブロックに対するＨＡＲＱのＡＣＫ／ＮＡＣＫを示す情報を、ＵＣＣ−０のＰＵＳＣＨを使用して送信する。すなわち、移動局装置は、ＤＣＣ−０を使用して送信された下りリンクトランスポートブロックに対するＨＡＲＱのＡＣＫ／ＮＡＣＫを示す情報を、ＵＣＣ−０のＰＵＳＣＨを使用して送信することになる。ここで、移動局装置が、下りリンクのキャリア要素グループに含まれるいずれかのキャリア要素を使用して送信される下りリンクトランスポートブロック（ここでは、ＤＣＣ−０で送信される１つの下りリンクのトランスポートブロック）に対するＨＡＲＱのＡＣＫ／ＮＡＣＫを示す情報を送信する際には、例えば、１つの下りリンクトランスポートブロックに対するＨＡＲＱのＡＣＫ／ＮＡＣＫを示す情報をバンドル（bundle：束に、塊に）して、もしくは、多重（multiplexing）して送信することができる。
【００９３】
さらに、移動局装置は、基地局装置からＤＣＣ−２および／またはＤＣＣ−３および／またはＤＣＣ−４を使用して送信された上りリンク送信許可信号に含まれる割り当てられたＰＤＳＣＨの数を示す情報（ここでは、“２”を示す情報）に従って、２つの下りリンクトランスポートブロックに対するＨＡＲＱのＡＣＫ／ＮＡＣＫを示す情報を、ＵＣＣ−１のＰＵＳＣＨを使用して送信する。すなわち、移動局装置は、ＤＣＣ−２およびＤＣＣ−４のＰＤＳＣＨを使用して送信された下りリンクトランスポートブロックに対するＨＡＲＱのＡＣＫ／ＮＡＣＫを示す情報を、ＵＣＣ−１のＰＵＳＣＨを使用して送信することになる。ここで、移動局装置が、下りリンクのキャリア要素グループに含まれるいずれかのキャリア要素を使用して送信される下りリンクトランスポートブロック（ここでは、ＤＣＣ−２、ＤＣＣ−４で送信される２つの下りリンクのトランスポートブロック）に対するＨＡＲＱのＡＣＫ／ＮＡＣＫを示す情報を送信する際には、例えば、２つの下りリンクトランスポートブロックに対するＨＡＲＱのＡＣＫ／ＮＡＣＫを示す情報をバンドル（bundle：束に、塊に）して、もしくは、多重（multiplexing）して送信することができる。また、移動局装置は、ＵＣＣ−０を使用したＨＡＲＱのＡＣＫ／ＮＡＣＫを示す情報の送信と、ＵＣＣ−１を使用したＨＡＲＱのＡＣＫ／ＮＡＣＫを示す情報の送信を、同一サブフレームで行うことができる。
【００９４】
上記までに説明したように、本発明の第１の実施形態における移動局通信システムでは、基地局装置と移動局装置が、キャリア要素によって構成される広帯域な周波数帯域を使用して通信を行なう際に、基地局装置が、同一サブフレームで割り当てられたＰＤＳＣＨの数を示す情報を上りリンク送信許可信号に含めて送信し、移動局装置が、上りリンク送信許可信号に含まれる同一サブフレームで割り当てられたＰＤＳＣＨの数を示す情報に応じて、下りリンクトランスポートブロックに対するＨＡＲＱのＡＣＫ／ＮＡＣＫを示す情報を送信することによって、移動局装置が下りリンクトランスポートブロックを検出できなかった場合でも、基地局装置と移動局装置の間でやり取りされる下りリンクトランスポートブロックに対するＨＡＲＱのＡＣＫ／ＮＡＣＫを示す情報を正しく送受信することができる。すなわち、基地局装置が、同一サブフレームで割り当てられたＰＤＳＣＨの数を示す情報を上りリンク送信許可信号に含めて送信することによって、移動局装置が、基地局装置から同一サブフレームでＰＤＳＣＨを使用して送信された下りリンクトランスポートブロックの数を正確に確認（認識）することができ、正しい（基地局装置が送信されてくると思っている）数の下りリンクトランスポートブロックに対するＨＡＲＱのＡＣＫ／ＮＡＣＫを示す情報を送信することができる。
【００９５】
また、基地局装置が、同一サブフレームで割り当てられたＰＤＳＣＨの数を示す情報を上りリンク送信許可信号に含めて送信することによって、移動局装置が、ＰＤＳＣＨのリソース割り当てを指示する物理下りリンク制御チャネル（ＰＤＣＣＨ）を検出できなかった場合にも、正しい（基地局装置が送信されてくると思っている）数の下りリンクトランスポートブロックに対するＨＡＲＱのＡＣＫ／ＮＡＣＫを示す情報を送信することができる。
【００９６】
さらに、本発明の第１の実施形態における移動局通信システムでは、基地局装置が、１つの上りリンクのキャリア要素に対応する複数の下りリンクのキャリア要素（下りリンクのキャリア要素グループ）内において同一サブフレームで割り当てられたＰＤＳＣＨの数を示す情報を上りリンク送信許可信号に含めて送信し、移動局装置が、上りリンク許可信号に含まれる１つの上りリンクのキャリア要素に対応する複数の下りリンクのキャリア要素内において同一サブフレームで割り当てられた物理下りリンク共用チャネルの数を示す情報に応じて、下りリンクのトランスポートブロックに対するＨＡＲＱのＡＣＫ／ＮＡＣＫを示す情報を送信することによって、移動局装置が下りリンクトランスポートブロックを検出できなかった場合でも、基地局装置と移動局装置の間でやり取りされる下りリンクトランスポートブロックに対するＨＡＲＱのＡＣＫ／ＮＡＣＫを示す情報を正しく送受信することができる。基地局装置と移動局装置が、上りリンクのキャリア要素（ＵＣＣ−０、ＵＣＣ−１）それぞれと複数の下りリンクのキャリア要素を含むキャリア要素グループ（ＤＣＣＧ−０、ＤＣＣＧ−１）を相互に対応させて（リンクさせて）、下りリンクトランスポートブロックに対するＨＡＲＱのＡＣＫ／ＮＡＣＫを示す情報の送受信を行うことで、移動局装置が、下りリンクトランスポートブロックに対するＨＡＲＱのＡＣＫ／ＮＡＣＫを示す情報を送信する際のバンドリングウィンドウ（bundling window）、もしくは、多重ウィンドウ（multiplexing window）を制限することが可能となり、上りリンクのキャリア要素（ＵＣＣ−０、ＵＣＣ−１）それぞれを効率的に使用した、伝播路の状況の変化に対して強固な（ロバストな）ＨＡＲＱのＡＣＫ／ＮＡＣＫを示す情報の送受信を行うことができる。また、基地局装置は、制限された下りリンクのキャリア要素内で送信されるＰＤＳＣＨの数を示す情報を送信すればよく、上りリンク送信許可信号に含まれる割り当てられたＰＤＳＣＨの数を示す情報の情報量を削減することができる。
【００９７】
上記までに説明したように、本発明に係る実施形態によれば、基地局装置と移動局装置から構成される移動通信システムであって、前記基地局装置は、物理下りリンク共用チャネルを使用して下りリンクトランスポートブロックを前記移動局装置に送信し、同一サブフレームで割り当てられた物理下りリンク共用チャネルの数を示す情報を上りリンク送信許可信号に含めて前記移動局装置に送信し、前記移動局装置は、前記上りリンク許可信号に含まれる同一サブフレームで割り当てられた物理下りリンク共用チャネルの数を示す情報に応じて、前記下りリンクトランスポートブロックに対するＨＡＲＱのＡＣＫ／ＮＡＣＫを示す情報を前記基地局装置に送信する移動通信システムが提供される。
【００９８】
また、基地局装置と移動局装置から構成される移動通信システムであって、前記基地局装置は、物理下りリンク共用チャネルを使用して下りリンクトランスポートブロックを前記移動局装置に送信し、１つの上りリンクのキャリア要素に対応する複数の下りリンクのキャリア要素内において同一サブフレームで割り当てられた物理下りリンク共用チャネルの数を示す情報を上りリンク送信許可信号に含めて前記移動局装置に送信し、前記移動局装置は、前記上りリンク許可信号に含まれる１つの上りリンクのキャリア要素に対応する複数の下りリンクのキャリア要素内において同一サブフレームで割り当てられた物理下りリンク共用チャネルの数を示す情報に応じて、前記下りリンクのトランスポートブロックに対するＨＡＲＱのＡＣＫ／ＮＡＣＫを示す情報を前記基地局装置に送信する移動通信システムが提供される。
【００９９】
また、基地局装置と移動局装置から構成される移動通信システムにおける基地局装置であって、物理下りリンク共用チャネルを使用して下りリンクのトランスポートブロックを前記移動局装置に送信する手段と、同一サブフレームで割り当てられた物理下りリンク共用チャネルの数を示す情報を上りリンク送信許可信号に含めて前記移動局装置に送信する手段と、を備える基地局装置が提供される。
【０１００】
また、基地局装置と移動局装置から構成される移動通信システムにおける移動局装置であって、物理下りリンク共用チャネルを使用して下りリンクのトランスポートブロックを前記基地局装置から受信する手段と、同一サブフレームで割り当てられた物理下りリンク共用チャネルの数を示す情報を含む上りリンク送信許可信号を前記基地局装置から受信する手段と、前記上りリンク許可信号に含まれる同一サブフレームで割り当てられた物理下りリンク共用チャネルの数を示す情報に応じて、前記下りリンクのトランスポートブロックに対するＨＡＲＱのＡＣＫ／ＮＡＣＫを示す情報を前記基地局装置に送信する手段と、を備える移動局装置が提供される。
【０１０１】
また、基地局装置と移動局装置から構成される移動通信システムにおける基地局装置であって、物理下りリンク共用チャネルを使用して下りリンクトランスポートブロックを前記移動局装置に送信する手段と、１つの上りリンクのキャリア要素に対応する複数の下りリンクのキャリア要素内において同一サブフレームで割り当てられた物理下りリンク共用チャネルの数を示す情報を上りリンク送信許可信号に含めて前記移動局装置に送信する手段と、を備える基地局装置が提供される。
【０１０２】
また、基地局装置と移動局装置から構成される移動通信システムにおける移動局装置であって、物理下りリンク共用チャネルを使用して下りリンクトランスポートブロックを前記基地局装置から受信する手段と、１つの上りリンクのキャリア要素に対応する複数の下りリンクのキャリア要素内において同一サブフレームで割り当てられた物理下りリンク共用チャネルの数を示す情報を含む上りリンク送信許可信号を前記基地局装置から受信する手段と、前記上りリンク許可信号に含まれる１つの上りリンクのキャリア要素に対応する複数の下りリンクのキャリア要素内において同一サブフレームで割り当てられた物理下りリンク共用チャネルの数を示す情報に応じて、前記下りリンクのトランスポートブロックに対するＨＡＲＱのＡＣＫ／ＮＡＣＫを示す情報を前記基地局装置に送信する手段と、を備える移動局装置が提供される。
【０１０３】
以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。
【０１０４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０１０５】
以上、この発明の実施形態について図面を参照して詳述してきたが、具体的な構成はこの実施形態に限られるものではなく、この発明の要旨を逸脱しない範囲の設計等も特許請求の範囲に含まれる。
【産業上の利用可能性】
【０１０６】
本発明は、携帯電話端末を移動局装置とする携帯電話システムに用いて好適であるが、これに限定されない。
【符号の説明】
【０１０７】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
2010073477.tif 000003
【図２】
2010073477.tif 000004
【図３】
2010073477.tif 000005
【図４】
2010073477.tif 000006
【図５】
2010073477.tif 000007
【図６】
2010073477.tif 000008
【国際調査報告】
2010073477.tif 000009
2010073477.tif 000010